(57)【要約】【課題】冷却効率を向上させることができる照明器具を提供する。【解決手段】反射板２３における蛍光ランプ２２の最冷部２４近傍に放熱孔２５を設けたので、最冷部２４を冷却して光効率を向上させることができる。また、蛍光ランプ２２の最冷部２４に接触して放熱孔２５を介して反射板２３の裏面に至るように放熱部２７を設けたので、最冷部２４の熱を放熱部２７を介して反射板２３の裏側に放熱することができ、一層、最冷部２４を冷却して光効率を向上させることができる。【選択図】図１
2009238513.tif 000002
【特許請求の範囲】
【請求項１】
天井に取付けられ内部に蛍光ランプが配設された器具本体と、前記蛍光ランプの上方位置となるよう前記器具本体に配設された反射板と、を備えた照明器具であって、
前記反射板における前記蛍光ランプの最冷部近傍に放熱孔を設けるとともに、前記蛍光ランプの最冷部に接触し、前記放熱孔を介して前記反射板の裏面に至るように放熱部を設けたことを特徴とする照明器具。
【請求項２】
前記放熱部は、前記反射板の裏面側において放熱フィンを有することを特徴とする請求項１記載の照明器具。
【請求項３】
前記放熱フィンは、前記放熱孔から前記反射板の裏面に流入する空気を整流するように形成されたことを特徴とする請求項１または２記載の照明器具。
【発明の詳細な説明】
【技術分野】
【０００１】
本発明は、蛍光ランプを用いた照明器具に関するものである。
【背景技術】
【０００２】
従来より、蛍光ランプの発熱を冷却することができる照明器具が提案されている（例えば特許文献１参照）。
図４に示すように、特許文献１に記載の照明器具１００は、被設置面である天井１０６に埋め込まれる器具本体１０２を有しており、器具本体１０２内部には、蛍光ランプ１０１が取付けられ手いる。器具本体１０２には、放熱用開口部１０３が設けられており、この放熱用開口部１０３の内側には、アルミ製のフィンである放熱体１０５を有する冷却手段１０４が設けられている。
【０００３】
従って、この照明器具１００では、蛍光ランプ１０１から発せられた熱は、冷却手段１０４を介して器具本体１０２の外部に放出されるので、蛍光ランプ１０１の最冷部等を効率よく冷却して、光効率を改善することができる。
【特許文献１】特開平１１−１９１３１４号公報（第１図）
【発明の開示】
【発明が解決しようとする課題】
【０００４】
しかしながら、前述した特許文献１に記載の照明器具１００等においては、未だ冷却が十分に行われていないため、一層の改善が望まれている。
【０００５】
本発明は、従来の問題を解決するためになされたもので、冷却効率を向上させることができる照明器具を提供することを目的とする。
【課題を解決するための手段】
【０００６】
本発明の照明器具は、天井に取付けられ内部に蛍光ランプが配設された器具本体と、前記蛍光ランプの上方位置となるよう前記器具本体に配設された反射板と、を備えた照明器具であって、前記反射板における前記蛍光ランプの最冷部近傍に放熱孔を設けるとともに、前記蛍光ランプの最冷部に接触し、前記放熱孔を介して前記反射板の裏面に至るように放熱部を設けた構成を有している。
【０００７】
この構成により、反射板における蛍光ランプの最冷部近傍に放熱孔を設けたので、最冷部を冷却して光効率を向上させることができる。また、蛍光ランプの最冷部に接触して放熱孔を介して反射板の裏面に至るように放熱部を設けたので、最冷部の熱を放熱部を介して反射板の裏側に放熱することができ、一層、最冷部を冷却して光効率を向上させることができる。
【０００８】
また、本発明の照明器具は、前記放熱部は、前記反射板の裏面側において放熱フィンを有する構成を有している。
【０００９】
この構成により、最冷部に接触して反射板の裏面側まで延びる放熱部に放熱フィンを設けたので、最冷部の熱を、放熱部を介して反射板の裏側に効率よく放熱することができる。
【００１０】
さらに、本発明の照明器具は、前記放熱フィンは、前記放熱孔から前記反射板の裏面に流入する空気を整流するように形成された構成を有している。
【００１１】
この構成により、放熱部に設けた放熱フィンにより、最冷部を通って放熱孔から反射板の裏面側へ流れる空気の流れが生じやすいので、最冷部の熱を効率よく反射板の裏側に放熱することができる。
【発明の効果】
【００１２】
本発明は、反射板における蛍光ランプの最冷部近傍に放熱孔を設けたので、最冷部を冷却して光効率を向上させることができる。また、蛍光ランプの最冷部に接触して放熱孔を介して反射板の裏面に至るように放熱部を設けたので、最冷部の熱を放熱部を介して反射板の裏側に放熱することができ、一層、最冷部を冷却して光効率を向上させることができるという効果を有する照明器具を提供することができるものである。
【発明を実施するための最良の形態】
【００１３】
以下、本発明の実施の形態の照明器具について、図面を用いて説明する。
図１（Ａ）は本発明の第１実施形態にかかる照明器具の一部破断の斜視図、図１（Ｂ）は（Ａ）中Ｂ−Ｂ位置の断面図である。
【００１４】
図１に示すように、本発明の第１実施形態にかかる照明器具１０は、天井１１等の被取付面に設けられている開口部１１ａに器具本体２１を嵌め込んで用いられる。器具本体２１の内部には蛍光ランプ２２が取付けられており、蛍光ランプ２２の上方位置には反射板２３が設けられている。反射板２３は、蛍光ランプ２２の真上に対向する水平部２３ａと、蛍光ランプ２２からの光を下向き中央部に反射する傾斜部２３ｂ、２３ｂを有しており、水平部２３ａの長手方向両端部には、蛍光ランプ２２を取付けて電気的に接続するためのソケット２６、２６が取付けられている。
【００１５】
反射板２３の水平部２３ａにおける蛍光ランプ２２の最冷部２４の近傍、すなわちソケット２４の中央寄りには、放熱孔２５が設けられている。さらに、放熱部として、最冷部２４に接触して蛍光ランプ２２を保持する放熱板２７が設けられている。
【００１６】
放熱板２７は、放熱孔２５を貫通して反射板２３の裏面まで延び、上端の取付部２７ａが器具本体２１の天板２１ａに取付けられている。放熱板２７は、熱伝導性の良い金属製のバネ部材で、蛍光ランプ２２を挟む方向へ付勢されている。また、放熱板２７において蛍光ランプ２２の最冷部２４を保持する部分円弧状の保持部２７ｂの下端部２７ｃは、両外側へ開いており、蛍光ランプ２２をソケット２６に取付ける際に、蛍光ランプ２２を容易に放熱板２７に取付けることができるようになっている。
【００１７】
以上、説明した第１実施形態にかかる照明器具１０によれば、反射板２３における蛍光ランプ２２の最冷部２４の近傍に放熱孔２５を設けたので、最冷部２４を冷却して光効率を向上させることができる。また、蛍光ランプ２２の最冷部２４に接触し、放熱孔２５を介して反射板２３の裏面に至るように放熱板２７を設けたので、最冷部２４の熱を放熱板２７を介して反射板２３の裏側に放熱することができ、一層、最冷部２４を冷却して光効率を向上させることができる。さらに、放熱板２７を介して器具本体２１に、熱伝導により熱を逃がすことができる。
【００１８】
次に、本発明の第２実施形態にかかる照明器具１０Ｂについて説明する。
図２（Ａ）は本発明の第２実施形態にかかる照明器具の断面図、図２（Ｂ）は放熱板２８の斜視図である。なお、第１実施形態にかかる照明器具１０と共通する部位には同じ符号を付して、重複する説明を省略することとする。
【００１９】
図２に示すように、第２実施形態にかかる照明器具１０Ｂにおいては、放熱部である放熱板２８が、放熱孔２５を貫通して反射板２３の裏面まで延び、上端の取付部２８ａが器具本体２１の天板２１ａに取付けられている。放熱板２８は、熱伝導性の良い金属製のバネ部材で、蛍光ランプ２２を挟む方向へ付勢されている。また、放熱板２８において蛍光ランプ２２の最冷部２４を保持する部分円弧状の保持部２８ｂの下端部２８ｃは、両外側へ開いており、蛍光ランプ２２をソケット２６に取付ける際に、蛍光ランプ２２を容易に放熱板２７に取付けることができるようになっている。
さらに、放熱板２８において反射板２３の裏面側に位置する部分には、複数枚の放熱フィン２８ｃが設けられており、放熱面積を大きくしている。
【００２０】
このように構成することにより、第１実施形態の作用・効果を得ることができるとともに、放熱板２８において反射板２３の裏面側に位置する部分に放熱フィン２８ｃを設けたので、最冷部２４の熱を、放熱板２８を介して反射板２３の裏側に効率よく放熱することができる。
【００２１】
次に、本発明の第３実施形態にかかる照明器具１０Ｃについて説明する。
図３（Ａ）は本発明の第２実施形態にかかる照明器具の断面図、図３（Ｂ）は放熱板の斜視図である。なお、第１実施形態及び第２実施形態にかかる照明器具１０、１０Ｂと共通する部位には同じ符号を付して、重複する説明を省略することとする。
【００２２】
図３に示すように、第３実施形態にかかる照明器具１０Ｃにおいては、放熱部である放熱板２９が、放熱孔２５を貫通して反射板２３の裏面まで延び、器具本体２１の天板２１ａにまで延びている。図３（Ｂ）に示すように、放熱板２９は、熱伝導性の良い金属製の部材であり、蛍光ランプ２２の最冷部２４を上側から接触する接触部２０ｂを有していて、接触部２０ｂの両側から上方へ向かって一対の整流部２９ａ、２９ａが延びている。そして、整流部２９ａの上端は器具本体２１の天板２１ａに接触しており、天板２１ａと蛍光ランプ２２との間に保持されている。あるいは、放熱板２９を器具本体２１の天板２１ａに取付けるようにしてもよい。
【００２３】
放熱板２９の整流部２９ａが天板２１ａと接する部位の外側近傍には、天板２１ａに放熱孔２１ｂが設けられており、整流部２９ａの外面に沿って上昇して来た温風が、反射板２３の放熱孔２５を通り、さらに器具本体２１の天板２１ａの放熱孔２１ｂから器具本体２１の外部へ放出されるようになっている（図３（Ａ）においては線で示す矢印参照）。
【００２４】
このように構成することにより、第１実施形態の作用・効果を得ることができるとともに、放熱板２９において蛍光ランプ２２により温度上昇した温風が器具本体２１の外部へ導かれるので、最冷部２４の熱を、効率よく放熱することができる。
【００２５】
なお、本発明の照明器具は、前述した各実施形態に限定されるものでなく、適宜な変形，改良等が可能である。
例えば、前述した各実施形態において示した放熱板２７、２８、２９の形状は、前述したものに限定するものでない。同様の作用・効果が得られるものであれば適用可能である。
【図面の簡単な説明】
【００２６】
【図１】（Ａ）は本発明の第１実施形態にかかる照明器具の一部破断の斜視図、（Ｂ）は（Ａ）中Ｂ−Ｂ位置の断面図
【図２】（Ａ）は本発明の第２実施形態にかかる照明器具の断面図、（Ｂ）は放熱板の斜視図
【図３】（Ａ）は本発明の第３実施形態にかかる照明器具の断面図、（Ｂ）は放熱板の斜視図
【図４】従来の照明器具を示す断面図
【符号の説明】
【００２７】
１０  照明器具
１１  天井
２１  器具本体
２２  蛍光ランプ
２３  反射板
２４  最冷部
２５  放熱孔
２７、２８、２９  放熱板（放熱部）
２８ｃ  放熱フィン
【図１】
2009238513.tif 000003
【図２】
2009238513.tif 000004
【図３】
2009238513.tif 000005
【図４】
2009238513.tif 000006